(57)【要約】【課題】急凍設定または速氷設定という類似する２つの制御を有する冷蔵庫に関し、１種類のスイッチを用いて急凍設定あるいは速氷設定の解除または急凍設定から速氷設定への切換または速氷設定から急凍設定への切換を図ることを目的とする。【解決手段】製氷停止中速氷判定手段５１および速氷中製氷停止判定手段５２および速氷開始遅延手段５３および速氷遅延タイマ５４および急凍開始遅延手段５５および急凍遅延タイマ５６を備えることにより一つのスイッチで急凍制御と速氷制御と通常運転状態を切替可能とする。さらに1つの表示素子で区別して表示することができる。【選択図】図１
2005156109.tif 000002
【特許請求の範囲】
【請求項１】
外箱と内箱間に断熱材を充墳してなる断熱箱体の庫内を断熱仕切体により上下に区画して上部に冷蔵室と、中部に複数の貯蔵室と、下部に冷凍室等とが設けられ、庫内背面に冷気を生成する冷却器と、生成した冷気を送風する送風機を備え前記断熱箱体の底部に圧縮機を配置するとともに、前記冷蔵室内に製氷用水を貯蔵する給水タンクと、駆動部と、水受皿部とで構成された給水装置と、前記冷凍室内または前記貯蔵室に配置され、前記給水装置から給水管を経路して、氷を生成する製氷皿と、同製氷皿を左右方向に反転させて離氷する駆動部と、離氷し貯氷した貯氷量を検知する検氷レバーとで構成された製氷ユニットと、同製氷ユニットで製氷した氷を貯氷する貯氷箱からなる自動製氷装置と、前記給水装置および前記自動製氷装置を停止させる製氷停止スイッチと、前記製氷停止スイッチの判定を行なう製氷停止スイッチ入力判定手段と、前記製氷停止スイッチ入力判定手段により製氷停止状態が判定されたとき発光ダイオード等の発光素子を点灯させる製氷停止ＬＥＤ点灯手段を備え、前記圧縮機を強制的に運転指令させる急凍制御と、前記圧縮機を強制的に運転指令させることで前記自動製氷装置によって通常の製氷時間より早く製氷を行なう速氷制御を備えた冷蔵庫において、前記急凍制御と前記速氷制御と通常運転状態を切り替える一つの急凍／速氷スイッチと、前記急凍／速氷スイッチの判定を行なう急凍／速氷スイッチ入力判定手段を備えたことを特徴とする冷蔵庫。
【請求項２】
前記急凍／速氷スイッチと、前記急凍／速氷スイッチの判定を行なう急凍／速氷スイッチ入力判定手段により判定された運転状態で、前記運転状態が急凍制御のとき発光ダイオード等の発光素子を点灯させる急凍ＬＥＤ点灯手段と、前記運転状態が速氷制御のとき前記急凍ＬＥＤ点灯手段で点灯させた発光素子を消灯させるとともに異なる発光ダイオード等の発光素子を点灯させる速氷ＬＥＤ点灯手段を備えたことを特徴とする請求項１記載の冷蔵庫。
【請求項３】
前記製氷停止スイッチと、前記製氷停止スイッチの判定を行なう製氷停止スイッチ入力判定手段により前記給水装置および前記自動製氷装置の停止が判定され前記製氷停止ＬＥＤ点灯手段により発光ダイオード等の発光素子が点灯している状態で、前記急凍／速氷スイッチと、前記急凍／速氷スイッチの判定を行なう急凍／速氷スイッチ入力判定手段により速氷制御を判定されたとき、前記給水装置および前記自動製氷装置の停止を解除するとともに前記製氷停止ＬＥＤ点灯手段により点灯させた発光ダイオード等の発光素子を消灯させる製氷停止中速氷判定手段を備えたことを特徴とする請求項１または２記載の冷蔵庫。
【請求項４】
前記急凍／速氷スイッチと、前記急凍／速氷スイッチの判定を行なう急凍／速氷スイッチ入力判定手段により速氷制御を判定され前記速氷ＬＥＤ点灯手段により発光ダイオード等の発光素子が点灯している状態で、前記製氷停止スイッチと、前記製氷停止スイッチの判定を行なう製氷停止スイッチ入力判定手段により前記給水装置および前記自動製氷装置の停止が判定されたとき、前記速氷制御を解除し通常制御運転を開始するとともに前記速氷ＬＥＤ点灯判定手段により点灯させた発光ダイオード等の発光素子を消灯させる速氷中製氷停止判定手段を備えたことを特徴とする請求項１または２記載の冷蔵庫。
【請求項５】
前記急凍／速氷スイッチと、前記急凍／速氷スイッチの判定を行なう急凍／速氷スイッチ入力判定手段により通常運転から前記急凍制御へ移行したとき、急凍ＬＥＤ点灯手段により前記急凍ＬＥＤ点灯手段で発光素子を点灯させた状態で一定時間待機させた後で前記急凍制御を開始させる急凍開始遅延手段を備えたことを特徴とする請求項１から４のいずれか一項に記載の冷蔵庫。
【請求項６】
前記急凍／速氷スイッチと、前記急凍／速氷スイッチの判定を行なう急凍／速氷スイッチ入力判定手段により前記急凍制御から前記速氷制御へ移行したとき、速氷ＬＥＤ点灯手段により前記急凍ＬＥＤ点灯手段で点灯させた発光素子を消灯させるとともに異なる発光ダイオード等の発光素子を点灯させた状態で一定時間待機させた後で前記速氷制御を開始させる速氷開始遅延手段を備えたことを特徴とする請求項１から５のいずれか一項に記載の冷蔵庫。
【発明の詳細な説明】
【技術分野】
【０００１】
本発明は一般家庭用冷蔵庫の表示装置に関するものである。
【背景技術】
【０００２】
近年、冷蔵庫は急凍および速氷機能付きのものが主流となってきている。（例えば、特許文献１参照）
図３は、従来の急凍および速氷機能付き冷蔵庫のブロック図である。図３において、１は冷蔵庫本体で外箱２、内箱３、及び前記外箱２と前記内箱３間に充填された断熱材４より構成されている。５は区画壁で、前記冷蔵庫本体１の内部を上下に区画し、最下部に冷凍室６、最上部に冷蔵室７を区画形成している。８は冷却器で、前記冷凍室６の背面に備え、冷凍サイクルの１部を形成している。９は前記冷凍室６内に設置された庫内温度検出用サーミスタ１０より庫内温度を検出する庫内温度検出手段であり、１１は前記庫内温度検出手段９の検出した温度が設定温度以上であるかどうかを判定する庫内温度判定手段である。１２は冷凍サイクルの圧縮機１３を動作させる圧縮機駆動手段である。
【０００３】
図７は、従来の自動製氷装置付き冷蔵庫の自動製氷装置斜視図である。また図８は従来の自動製氷装置付き冷蔵庫の離氷機構透視図である。
【０００４】
図７、図８において１４は製氷皿で家庭用冷蔵庫に付設するような場合には、前記冷凍室６の冷気吹き出し口付近にあり、直接エアーにあたるように設置している。１５は前記製氷皿１４の外底面付設した製氷完了検知用サーミスタ１６より温度を検出する製氷温度検出手段である。１７は給水タンクで、家庭用冷蔵庫に付設するような場合には前記冷蔵庫７に設置する。１８は前記給水タンク１７から前記製氷皿１４に水を供給する給水ポンプモータである。１９は前記製氷皿１４を回転させて離氷動作を行わせる離氷機構で、前記製氷皿１４を回転させるモータ２０があり、その回転により前記製氷皿１４に捻りを加えて離氷させる機能を持つ。
【０００５】
尚、前記離氷機構１９は、プラスチック等で囲まれた製氷ケース２１に構成されている。また、前記製氷皿１４の下には、落下した氷を貯めておく貯氷箱２２が配置されている。また、前記製氷ケース２１からは、前記貯氷箱２２の氷の量を検知する前記製氷ケース２１の一部を支点に前記離氷機構１９及び前記モータ２０に連動して上下に動く検氷レバー２３が前記貯氷箱２１の上に位置している。前記モータ２０が動きだすと前記検氷レバー２３が下がり始め一定時間たつと最も下に下がる。さらに前記モータ２０を動かしていると、前記検氷レバー２３は上がり始め最終的には前期検氷レバー２３は最初の位置に戻る。その前記検氷レバー２３が下がって行く間に障害物に当たると前記検氷レバー２３はその場で止まるが前記モータ２０は続けて動いている。
【０００６】
そして前記モータ２０が動き始めて一定時間後前記検氷レバー２３を上げる動作に入った時に連動して前記検氷レバー２３も上がる。その一連の前記検氷レバー２３の動作量で氷の量を検知するマイクロスイッチ等よりなる製氷量検知スイッチ２４が前記製氷ケース２４内にある。また、２５は前記製氷検出温度手段１５の検出した温度が設定温度以下であるかを判断する製氷温度判定手段である。２６は離氷判定手段で、前記モータ２０の回転により離氷機構１９が前記製氷皿１４に捻りを加えて離氷させ元の水平位置に戻す一連の動作が終了したかどうかを判断する判定手段である。２７は前記製氷量スイッチ２４の状態を検出する製氷量手段で、２８は前記製氷量検出手段２７より前記貯氷箱２２が満氷であるかを判断する製氷量判定手段である。２９は前記製氷温度判定手段２５等の信号より前記モータ２０を駆動させる給水ポンプモータ駆動手段である。３０は前記給水ポンプモータ１８を動作させる給水ポンプモータ駆動手段である。３１は前記給水ポンプモータ１８が動作している時間をカウントする給水タイマで、タイムアップも判断する。３２は製氷量判断手段２８の状態が満氷で前記モータ駆動手段２９が前記モータ２０を停止したときより時間をカウントする第１タイマで、タイムアップも判断する。３３は前記モータ２０が動き出した時から時間をカウントする第３タイマで、タイムアップも判断する。３４は冷蔵庫の通常運転と圧縮機１３を連続運転させる急凍運転と圧縮機１３を連続運転させ製氷時間を短縮した時間をカウントする第２タイマで、タイムアップも判断する。３５は冷蔵庫の通常運転と圧縮機１３を連続運転させる急凍運転と圧縮機１３を連続運転させ製氷時間を短縮した第３タイマ３４より前記自動製氷装置による製氷時間を早める速氷運転とを選択する急凍／速氷選択スイッチである。３６は急凍／速氷選択スイッチ検出手段である。３７は給水ポンプモータ１８およびモータ２０を停止させる選択を行なう製氷停止選択スイッチである。３８は製氷停止選択スイッチ検出手段である。３９は急凍／速氷選択スイッチ３５または製氷停止選択スイッチ３７によって選択された内容を決定する決定スイッチである。４０は決定スイッチ検出手段である。４１は急凍／速氷選択スイッチ検出手段３６によって選択された内容を決定スイッチ検出手段３９によって決定する急凍／速氷状態判定手段である。４２は製氷停止選択スイッチ検出手段３８によって選択された内容を決定スイッチ検出手段３８によって決定する製氷停止状態判定手段である。４３は急凍／速氷選択スイッチ３５または製氷停止選択スイッチ３７によって選択された内容や決定スイッチ３８および運転状態判定手段４０によって決定された内容を表示する表示判定手段である。４４は表示判定手段４１によって判定された内容を表示する液晶素子などを用いた表示素子である。
【０００７】
以上のように構成された急凍および速氷機能付き冷蔵庫の、まず圧縮機１４の動作について、図４のフローチャートを参照しながら以下その動作を説明する。
【０００８】
最初にステップ1で急凍／速氷状態判定手段４１により急凍設定または速氷設定か通常運転設定かを判断し、急凍設定または速氷設定であれば圧縮機１３を連続して動作させるためステップ４へ進み、通常運転設定であればステップ２へ進む。ステップ２で庫内温度検出手段９が冷凍室内６に設置された庫内温度検出用サーミスタ１０より庫内温度を検出する。次に、ステップ３で庫内温度判定手段１１は庫内温度検出手段９が検出した温度が設定温度より高いか低いかを判断し、高ければステップ４で圧縮機駆動手段１２が圧縮機１３を動作させステップ１に戻る。しかし、ステップ３で庫内温度が低いと判断すればステップ５に進み圧縮機駆動手段１２で圧縮機１３を停止させステップ１に戻る。このサイクルを繰り返して庫内冷却を行っている。
【０００９】
次に自動製氷装置および速氷機能および製氷停止機能の動作について、図５のフローチャートを参照しながら以下その動作を説明する。
【００１０】
まず最初にステップ１０１で製氷停止判定手段４２により製氷停止状態かどうか判定し製氷停止状態でなければステップ１０４へ進み、製氷停止状態であればステップ１０２へ進む。ステップ１０２ではモータ駆動手段２９がモータ２０を停止させステップ１０３へ進む。ステップ１０３では給水ポンプモータ駆動手段３０が給水ポンプモータ１８を停止させスッテプ１０１へ戻り、製氷停止状態が解除されるまで繰り返す。ステップ１０４では製氷温度検出手段１５が製氷皿１４の外底面に付設した製氷完了検知用のサーミスタ１６より温度を検出する。次にステップ１０５で製氷温度判定手段２５は検出した温度が設定温度より高いか低いかを判断し、高ければステップ１０４に戻り、低ければ製氷が完了したと判断し、ステップ１０６に進みモータ駆動手段２９がモータ２０を動作させ、次のステップ１０７で第２タイマ３３をスタートさせる。ステップ１０８では第２タイマ３３が一定時間カウントしたかどうかを判断し、タイムアップするまで待機している。モータ２０はこの間も動いておりその動作は、検氷レバー２３が最初に下がり貯氷箱２２の氷に当たり停止もしくは何も当たらずに最下点まで到達し次に上がる動作をしている。
【００１１】
製氷量検知スイッチ２４は検氷レバー２３の動作量で氷の量を判断し、氷が多い時はＯＦＦそして氷の少ない時はＯＮの状態になっている。検氷レバー２３の一連の動作が終了すると第２タイマ３３の時間カウントも終了しステップ１０９に進む。ステップ１０９では製氷量検知手段２７が製氷量検知スイッチ２４の状態を検出し、次のステップ１１０で製氷量判断手段２８が、製氷量が少ないと判断すればステップ１１１へと進み離氷動作を行う。ステップ１１１で離氷判定手段２６は、モータ２０により離氷機構１９が製氷皿１４を回転させて元の水平位置に戻す一連の動作が終了したかどうかを判断し、終了したと判断すればステップ１１２に進み、モータ駆動手段２９がモータ２０停止させる。ステップ１１３では給水ポンプモータ駆動手段３０が空の製氷皿４に水を給水すべく給水ポンプモータ１８を動作させるとともにステップ１１４で給水タイマ３１をスタートさせる。ステップ１１５で給水タイマ３１が一定時間カウントしたかどうかを判断し、タイムアップするまで給水ポンプモータ１８を動作させる。ステップ１１５で給水タイマ３１がタイムアップすると、次のステップ１１６で給水ポンプモータ駆動手段３０は給水ポンプモータ１８停止させる。以上で給水が完了し製氷サイクルが終了したので、再度ステップ１０４に戻り、以降このサイクルを繰り返し自動的に製氷を行う。ステップ１１０で製氷量判定手段２８により製氷量が多いことを判断するとステップ１１７ではモータ駆動手段２９がモータ２０を停止させステップ１１８へ進む。ステップ１１８では急凍／速氷判定手段４１により速氷状態かどうかを判断し速氷状態であればステップ１２１へ進み、速氷以外の状態であればステップ１１９へ進む。ステップ１１９では第１タイマ３２をスタートさせる。ステップ１１０で第１タイマ３２が一定時間カウントしたかどうかを判断し、タイムアップするまで待機する。ステップ１２０で第１タイマ３２がタイマアップするとステップ１０６に戻り再度検氷動作を行う。ステップ１２１では速氷状態用の第３タイマ３４をスタートさせる。ステップ１２２で第３タイマ３４が一定時間カウントしたかどうかを判断し、タイムアップするまで待機する。ステップ１２２で第１タイマ３２がタイマアップするとステップ１０６に戻り再度検氷動作を行う。
【００１２】
次に急凍機能または速氷機能または製氷停止機能の設定および設定内容を表示素子４２に表示する動作について、図６のフローチャートを参照しながら以下その動作を説明する。
【００１３】
まず、ステップ２０１では製氷停止スイッチ検出手段３８により製氷停止スイッチが押されたと判断するとステップ２１５へ進み、製氷停止スイッチが押されたと判断されなければステップ２０２へ進む。ステップ２０２で急凍／速氷スイッチ検出手段３６により急凍／速氷スイッチが押されたと判断するとステップ２０３へ進み、急凍／速氷スイッチが押されたと判断されなければステップ２０１へ戻り製氷停止スイッチまたは急凍／速氷スイッチが押されるまで繰り返す。ステップ２０３で急凍／速氷状態判定手段４１により急凍状態が選択されたと判断されなければステップ２０７へ進み、急凍状態が選択されたと判断するとステップ２０４へ進む。ステップ２０４で決定スイッチ検出手段４０により決定スイッチが押されたと判断されなければステップ２０１へ戻り、決定スイッチが押されたと判断するとステップ２０５へ進む。
【００１４】
ステップ２０５では急凍／速氷状態判定手段４１により急凍運転開始であることおよび速氷運転解除であることを設定しステップ２０６へ進む。ステップ２０６では表示内容判定手段４３により急凍運転状態であることおよび速氷運転状態解除であることの内容を表示素子４４へ表示させステップ２０１へ戻る。ステップ２０７で急凍／速氷状態判定手段４１により速氷状態が選択されたと判断されなければステップ２０２へ戻り、速氷状態が選択されたと判断するとステップ２０８へ進む。ステップ２０８で決定スイッチ検出手段４０により決定スイッチが押されたと判断されなければステップ２０１へ戻り、決定スイッチが押されたと判断するとステップ２０９へ進む。ステップ２０９では急凍／速氷状態判定手段４１により速氷運転開始であることおよび急凍運転解除であることおよび製氷停止状態解除であることを設定しステップ２１０へ進む。ステップ２１０では表示内容判定手段４３により速氷運転状態であることおよび急凍運転状態解除であることおよび製氷停止状態解除であることの内容を表示素子４４へ表示させステップ２０１へ戻る。ステップ２１１で急凍／速氷状態判定手段４１により通常状態が選択されたと判断されなければステップ２０２へ戻り、通常状態が選択されたと判断するとステップ２１２へ進む。ステップ２１２で決定スイッチ検出手段４０により決定スイッチが押されたと判断されなければステップ２０１へ戻り、決定スイッチが押されたと判断するとステップ２１３へ進む。
【００１５】
ステップ２１３では急凍／速氷状態判定手段４１により速氷運転解除であることおよび急凍運転解除であることを設定しステップ２１４へ進む。ステップ２１４では表示内容判定手段４３により通常運転状態であることの内容を表示素子４４へ表示させステップ２０１へ戻る。ステップ２１５で製氷停止状態判定手段４２により製氷停止状態が選択されたと判断するとステップ２１９へ進み、製氷停止状態が選択されたと判断されなければステップ２１６へ進む。ステップ２１６で決定スイッチ検出手段４０により決定スイッチが押されたと判断されなければステップ２０１へ戻り、決定スイッチが押されたと判断するとステップ２１７へ進む。ステップ２１７では製氷停止状態判定手段４２により製氷停止状態解除であることを設定しステップ２１８へ進む。ステップ２１８では表示内容判定手段４３により製氷停止状態解除であることの内容を表示素子４４へ表示させステップ２０１へ戻る。ステップ２１９で決定スイッチ検出手段４０により決定スイッチが押されたと判断されなければステップ２０１へ戻り、決定スイッチが押されたと判断するとステップ２２０へ進む。ステップ２２０で製氷停止状態判定手段４２により製氷停止状態開始であることおよび速氷運転設定解除であることを設定しステップ２２１へ進む。ステップ２２１では表示内容判定手段４３により製氷停止状態開始であること、および速氷運転表示解除であることの内容を表示素子４４へ表示させステップ２０１へ戻る。
【特許文献１】特開平１０−３３９５４３号公報
【発明の開示】
【発明が解決しようとする課題】
【００１６】
しかしながら、上記従来の構成では、冷蔵庫の急凍設定または速氷設定という類似する２つの制御の設定において、急凍設定または速氷設定の解除および設定を行なうときは、急凍／速氷選択スイッチおよび決定スイッチと現在の運転状況または設定された運転状況を表示素子に表示させる構成になっており、２種類のスイッチを用いなければ急凍設定あるいは速氷設定の解除または急凍設定から速氷設定への切換または速氷設定から急凍設定への切換が行なえず、また高価な液晶等を用いた表示素子を用いなければ現在の運転状況または設定された運転状況を利用者に伝えることが困難であるという課題を有していた。
【００１７】
本発明は上記従来の課題を解決するもので、１種類のスイッチを用いて急凍設定あるいは速氷設定の解除または急凍設定から速氷設定への切換または速氷設定から急凍設定への切換ができ、また安価な発光ダイオード等の発光素子を用いて現在の運転状況または設定された運転状況を利用者に伝えることができる冷蔵庫を提供するものである。
【課題を解決するための手段】
【００１８】
上記従来の課題を解決するために、本発明の冷蔵庫は外箱と内箱間に断熱材を充墳してなる断熱箱体の庫内を断熱仕切体により上下に区画して上部に冷蔵室と、中部に複数の貯蔵室と、下部に冷凍室等とが設けられ、庫内背面に冷気を生成する冷却器と、生成した冷気を送風する送風機を備え前記断熱箱体の底部に圧縮機を配置するとともに、前記冷蔵室内に製氷用水を貯蔵する給水タンクと、駆動部と、水受皿部とで構成された給水装置と、前記冷凍室内または前記貯蔵室に配置され、前記給水装置から給水管を経路して、氷を生成する製氷皿と、同製氷皿を左右方向に反転させて離氷する駆動部と、離氷し貯氷した貯氷量を検知する検氷レバーとで構成された製氷ユニットと、同製氷ユニットで製氷した氷を貯氷する貯氷箱からなる自動製氷装置と、前記給水装置および前記自動製氷装置を停止させる製氷停止スイッチと、前記製氷停止スイッチの判定を行なう製氷停止スイッチ入力判定手段と、前記製氷停止スイッチ入力判定手段により製氷停止状態が判定されたとき発光ダイオード等の発光素子を点灯させる製氷停止ＬＥＤ点灯判定手段を備え、前記圧縮機を強制的に運転指令させる急凍制御と、前記圧縮機を強制的に運転指令させることで前記自動製氷装置によって通常の製氷時間より早く製氷を行なう速氷制御を備えた冷蔵庫において、前記急凍制御と前記速氷制御と通常運転状態を切り替える一つの急凍／速氷スイッチと、前記急凍／速氷スイッチの判定を行なう急凍／速氷スイッチ入力判定手段を備えたものである。
【発明の効果】
【００１９】
本発明の冷蔵庫は、一つのスイッチで急凍制御と速氷制御と通常運転状態を切り替えることができ、また製氷停止状態の有無にも対応できるので従来の選択された内容を決定するスイッチを省くことができる。また発光ダイオード等の発光素子を用いて現在の運転状況または設定された運転状況を表示できるので、従来の高価な液晶素子等の表示素子に比べても遜色ないくらい分かりやすくかつ安価な方法で利用者に伝えることができる。
【発明を実施するための最良の形態】
【００２０】
請求項１に記載の発明は、外箱と内箱間に断熱材を充墳してなる断熱箱体の庫内を断熱仕切体により上下に区画して上部に冷蔵室と、中部に複数の貯蔵室と、下部に冷凍室等とが設けられ、庫内背面に冷気を生成する冷却器と、生成した冷気を送風する送風機を備え前記断熱箱体の底部に圧縮機を配置するとともに、前記冷蔵室内に製氷用水を貯蔵する給水タンクと、駆動部と、水受皿部とで構成された給水装置と、前記冷凍室内または前記貯蔵室に配置され、前記給水装置から給水管を経路して、氷を生成する製氷皿と、同製氷皿を左右方向に反転させて離氷する駆動部と、離氷し貯氷した貯氷量を検知する検氷レバーとで構成された製氷ユニットと、同製氷ユニットで製氷した氷を貯氷する貯氷箱からなる自動製氷装置と、前記給水装置および前記自動製氷装置を停止させる製氷停止スイッチと、前記製氷停止スイッチの判定を行なう製氷停止スイッチ入力判定手段と、前記製氷停止スイッチ入力判定手段により製氷停止状態が判定されたとき発光ダイオード等の発光素子を点灯させる製氷停止ＬＥＤ点灯手段を備え、前記圧縮機を強制的に運転指令させる急凍制御と、前記圧縮機を強制的に運転指令させることで前記自動製氷装置によって通常の製氷時間より早く製氷を行なう速氷制御を備えた冷蔵庫において、前記急凍制御と前記速氷制御と通常運転状態を切り替える一つの急凍／速氷スイッチと、前記急凍／速氷スイッチの判定を行なう急凍／速氷スイッチ入力判定手段を備えたことにより、一つのスイッチを用いて急凍制御と速氷制御と通常運転状態を切り替えることができる。
【００２１】
請求項２に記載の発明は、請求項１に記載の発明において、前記急凍／速氷スイッチと、前記急凍／速氷スイッチの判定を行なう急凍／速氷スイッチ入力判定手段により判定された運転状態で、前記運転状態が急凍制御のとき発光ダイオード等の発光素子を点灯させる急凍ＬＥＤ点灯手段と、前記運転状態が速氷制御のとき前記急凍ＬＥＤ点灯手段で点灯させた発光素子を消灯させるとともに異なる発光ダイオード等の発光素子を点灯させる速氷ＬＥＤ点灯手段を備えているので、一つのスイッチを用いて急凍制御と速氷制御と通常運転状態を切り替えたとき急凍状態と速氷状態を発光素子により区別して表示させることができる。
【００２２】
請求項３に記載の発明は、請求項１または２に記載の発明において、前記製氷停止スイッチと、前記製氷停止スイッチの判定を行なう製氷停止スイッチ入力判定手段により前記給水装置および前記自動製氷装置の停止が判定され前記製氷停止ＬＥＤ点灯手段により発光ダイオード等の発光素子が点灯している状態で、前記急凍／速氷スイッチと、前記急凍／速氷スイッチの判定を行なう急凍／速氷スイッチ入力判定手段により速氷制御を判定されたとき、前記給水装置および前記自動製氷装置の停止を解除するとともに前記製氷停止ＬＥＤ点灯手段により点灯させた発光ダイオード等の発光素子を消灯させる製氷停止中速氷判定手段を備えたことにより、一つのスイッチを用いて製氷停止状態中に速氷設定したときに発光素子により区別して表示させることができる。
【００２３】
請求項４に記載の発明は、請求項１または２に記載の発明において、前記急凍／速氷スイッチと、前記急凍／速氷スイッチの判定を行なう急凍／速氷スイッチ入力判定手段により速氷制御を判定され前記速氷ＬＥＤ点灯手段により発光ダイオード等の発光素子が点灯している状態で、前記製氷停止スイッチと、前記製氷停止スイッチの判定を行なう製氷停止スイッチ入力判定手段により前記給水装置および前記自動製氷装置の停止が判定されたとき、前記速氷制御を解除し通常制御運転を開始するとともに前記速氷ＬＥＤ点灯手段により点灯させた発光ダイオード等の発光素子を消灯させる速氷中製氷停止判定手段を備えているので、一つのスイッチを用いて速氷状態中に製氷停止設定したときに発光素子により区別して表示させることができる。
【００２４】
請求項５に記載の発明は、請求項１から４のいずれか一項に記載の発明において、前記急凍／速氷スイッチと、前記急凍／速氷スイッチの判定を行なう急凍／速氷スイッチ入力判定手段により通常運転から前記急凍制御へ移行したとき、急凍ＬＥＤ点灯手段により前記急凍ＬＥＤ点灯手段で発光素子を点灯させた状態で一定時間待機させた後で前記急凍制御を開始させる急凍開始遅延手段を備えているので、一つのスイッチを用いて通常設定から急凍設定を行なうとき一度速氷設定を行なったとしても一定時間以内であれば製氷停止設定を解除することなく急凍状態に設定させることができる。
【００２５】
請求項６に記載の発明は、請求項１から５のいずれか一項に記載の発明において、前記急凍／速氷スイッチと、前記急凍／速氷スイッチの判定を行なう急凍／速氷スイッチ入力判定手段により前記急凍制御から前記速氷制御へ移行したとき、速氷ＬＥＤ点灯手段により前記急凍ＬＥＤ点灯手段で点灯させた発光素子を消灯させるとともに異なる発光ダイオード等の発光素子を点灯させた状態で一定時間待機させた後で前記速氷制御を開始させる速氷開始遅延手段を備えているので、一つのスイッチを用いて通常設定から速氷設定を行なうとき一度急凍設定を行なったとしても一定時間以内であれば急凍状態を設定することなく速氷状態に設定させることができる。
【００２６】
以下、本発明の実施の形態について、図面を参照しながら説明する。なお、この実施の形態によってこの発明が限定されものではない。
【００２７】
（実施の形態１）
図１は、本発明の実施の形態１における冷蔵庫の表示装置のブロック図である。図２は、同実施の形態の冷蔵庫の動作を示すフローチャートである。なお、従来と同一構成については同一符号を付して詳細な説明を省略する。
【００２８】
図１において、４５は急凍運転状態に設定されたとき点灯する発光ダイオード等を用いた急凍ＬＥＤである。４６は速氷運転状態に設定されたとき点灯する発光ダイオード等を用いた速氷ＬＥＤである。４７は製氷停止状態に設定されたとき点灯する発光ダイオード等を用いた製氷停止ＬＥＤである。４８は急凍ＬＥＤ４５を点灯または消灯させる急凍ＬＥＤ点灯手段である。４９は速氷ＬＥＤ４６を点灯または消灯させる速氷ＬＥＤ点灯手段である。５０は製氷停止ＬＥＤ４７を点灯または消灯させる製氷停止ＬＥＤ点灯手段である。５１は製氷停止設定中に急凍／速氷状態判定手段４１により速氷状態に設定されたかどうかを判断する製氷停止中速氷判定手段である。５２は速氷状態中に製氷停止判定手段４２により製氷停止状態に設定されたかどうかを判断する速氷中製氷停止判定手段である。５３は急凍／速氷状態検出手段４１により急凍設定から速氷に設定が移行したとき圧縮機駆動手段１２による圧縮機１３の連続運転と第３タイマ３４のカウント開始を一定時間遅らせる速氷開始遅延手段である。５４は速氷開始遅延手段５３による速氷開始遅延時間をカウントする速氷遅延タイマでありタイムアップも判断する。５５は急凍／速氷状態検出手段４１により通常設定から急凍に設定が移行したとき圧縮機駆動手段１２による圧縮機１３の連続運転を一定時間遅らせる急凍開始遅延手段である。５６は急凍開始遅延手段５５による急凍開始遅延時間をカウントする急凍遅延タイマでありタイムアップも判断する。
【００２９】
以上のように構成された冷蔵庫について、以下その動作を図２のフローチャートをもとにして説明する。
【００３０】
まず、ステップ１からステップ５とステップ１０１からステップ１２１まで従来通りである。ステップ２０１では製氷停止スイッチ検出手段３８により製氷停止スイッチが押されたと判断するとステップ３１８へ進み、製氷停止スイッチが押されたと判断されなければステップ２０２へ進む。ステップ２０２で急凍／速氷スイッチ検出手段３６により急凍／速氷スイッチが押されたと判断するとステップ３０１へ進み、急凍／速氷スイッチが押されたと判断されなければステップ２０１へ戻り製氷停止スイッチまたは急凍／速氷スイッチが押されるまで繰り返す。
【００３１】
ステップ３０１で急凍／速氷状態判定手段４１により現在の設定が通常設定でなければステップ３０７へ進み、現在の設定が通常設定であればステップ３０２へ進む。ステップ３０２で急凍開始遅延手段５５および急凍遅延タイマ５６により急凍開始遅延時間がタイムアップしたらステップ２０５へ進み、急凍開始遅延時間がタイムアップしなければステップ３０３へ進む。ステップ３０３では急凍ＬＥＤ点灯手段４８により急凍ＬＥＤ４５を点灯しステップ３０４へ進む。ステップ３０４では速氷ＬＥＤ点灯手段４９により速氷ＬＥＤ４６を消灯しステップ３０２へ戻る。ステップ２０５では急凍／速氷状態判定手段４１により急凍運転開始であることおよび速氷運転解除であることを設定しステップ３０５へ進む。ステップ３０５では急凍ＬＥＤ点灯手段４８により急凍ＬＥＤ４５を点灯しステップ３０６へ進む。ステップ３０６では速氷ＬＥＤ点灯手段４９により速氷ＬＥＤ４６を消灯しステップ２０１へ戻る。
【００３２】
ステップ３０７で急凍／速氷状態判定手段４１により現在の設定が急凍設定でなければステップ３１５へ進み、現在の設定が急凍設定であればステップ３０８へ進む。ステップ３０８で速氷開始遅延手段５３および速氷遅延タイマ５４により急凍開始遅延時間がタイムアップしたらステップ２０９へ進み、速氷開始遅延時間がタイムアップしなければステップ３０９へ進む。ステップ３０９では急凍ＬＥＤ点灯手段４８により急凍ＬＥＤ４５を消灯しステップ３１０へ進む。ステップ３１０では速氷ＬＥＤ点灯手段４９により速氷ＬＥＤ４６を点灯しステップ３０８へ戻る。ステップ２０９では急凍／速氷状態判定手段４１により急凍運転解除であることおよび速氷運転開始であることおよび製氷停止状態解除であることを設定しステップ３１１へ進む。ステップ３１１では製氷停止中速氷判定手段５１により製氷停止状態解除であるか判定し製氷停止状態解除でなければステップ３１４へ進み、製氷停止状態解除であればステップ３１２へ進む。ステップ３１２で急凍ＬＥＤ点灯手段４８により急凍ＬＥＤ４５を消灯しステップ３１３へ進む。ステップ３１３では速氷ＬＥＤ点灯手段４９により速氷ＬＥＤ４６を点灯しステップ２０１へ戻る。ステップ３１４で製氷停止ＬＥＤ点灯手段により製氷停止ＬＥＤ４７を消灯しステップ２０１へ戻る。
【００３３】
ステップ３１５で急凍／速氷状態判定手段４１により現在の設定が速氷設定でなければステップ２０１へ戻り、現在の設定が速氷設定であればステップ２１３へ進む。ステップ２１３では急凍／速氷状態判定手段４１により速氷運転解除であることおよび急凍運転解除であることを設定しステップ３１６へ進む。ステップ３１６では急凍ＬＥＤ点灯手段４８により急凍ＬＥＤ４５を消灯しステップ３１７へ進む。ステップ３１７では速氷ＬＥＤ点灯手段４９により速氷ＬＥＤ４６を消灯しステップ２０１へ戻る。
【００３４】
ステップ３１８で製氷停止状態判定手段４２により製氷停止中でなければステップ２２０へ進み、製氷停止中であればステップ２１７へ進む。ステップ２１７では製氷停止状態判定手段４２により製氷停止状態解除であることを設定しステップ３１９へ進む。ステップ２２０で製氷停止状態判定手段４２により製氷停止状態開始であることおよび速氷運転設定解除であることを設定しステップ３２０へ進む。ステップ３２０では速氷中製氷停止判定手段５２により速氷設定中であればステップ３２２へ進み、速氷設定中でなければステップ３２１へ進む。ステップ３２１で製氷停止ＬＥＤ点灯手段５０により製氷停止ＬＥＤ４７を点灯しステップ２０１へ戻る。ステップ３２２で製氷停止ＬＥＤ点灯手段５０により製氷停止ＬＥＤ４７を点灯しステップ３２２へ進む。ステップ３２２で速氷ＬＥＤ点灯手段４９により速氷ＬＥＤ４６を点灯しステップ２０１へ戻る。
【００３５】
以上のように本実施の形態の冷蔵庫は、製氷停止中速氷判定手段５１および速氷中製氷停止判定手段５２および速氷開始遅延手段５３および速氷遅延タイマ５４および急凍開始遅延手段５５および急凍遅延タイマ５６により一つのスイッチで急凍制御と速氷制御と通常運転状態を切り替えることができ、また製氷停止状態の有無の表示にも対応できるので従来の選択された内容を決定するスイッチを省くことができる。
【００３６】
また発光ダイオード等の発光素子を用いて急凍、速氷、通常、製氷停止等の現在の運転状況または設定された運転状況をわかりやすく区別して表示できるので、従来の高価な液晶素子等の表示素子に比べても遜色ないくらい分かりやすくかつ安価な方法で利用者に伝えることができる。
【産業上の利用可能性】
【００３７】
以上のように本発明にかかる冷蔵庫は、類似する２つの制御の設定において、設定および設定の解除を行なうときは、一つのスイッチで類似する二つの運転状態を切り替えることができ、またまた発光ダイオード等の発光素子を用いて現在の運転状況または設定された運転状況を表示することが可能なので、類似する２つの制御を有する表示装置付きの家電製品等の用途にも利用できる。
【図面の簡単な説明】
【００３８】
【図１】本発明による冷蔵庫の実施の形態１のブロック図
【図２】同実施の形態の冷蔵庫の動作を示す動作を示すフローチャート
【図３】従来の急凍および速氷機能付き冷蔵庫のブロック図
【図４】従来の冷蔵庫の動作を示すフローチャート
【図５】従来の自動製氷装置および速氷機能および製氷停止機能の動作を示すフローチャート
【図６】急凍機能または速氷機能または製氷停止機能の設定動作を示すフローチャート
【図７】従来の自動製氷装置付き冷蔵庫の自動製氷装置斜視図
【図８】従来の自動製氷装置付き冷蔵庫の離氷機構の透視図
【符号の説明】
【００３９】
１    冷蔵庫本体
２    外箱
３    内箱
４    断熱材
５    区画壁
６    冷凍室
７    冷蔵室
８    冷却器
１３    圧縮機
１４    製氷皿
１７    給水タンク
１９    離氷機構
２２    貯氷箱
２３    検氷レバー
３５    急凍／速氷選択スイッチ
３６    急凍／速氷選択スイッチ検出手段
３７    製氷停止選択スイッチ
３８    製氷停止選択スイッチ検出手段
３９    決定スイッチ
４０    決定スイッチ検出手段
４１    急凍／速氷状態判定手段
４２    製氷停止状態判定手段
４３    表示判定手段
４４    表示素子
４５    急凍ＬＥＤ
４６    速氷ＬＥＤ
４７    製氷停止ＬＥＤ
４８    急凍ＬＥＤ点灯手段
４９    速氷ＬＥＤ点灯手段
５０    製氷停止ＬＥＤ点灯手段
５１    製氷停止中速氷判定手段
５２    速氷中製氷停止判定手段
５３    速氷開始遅延手段
５５    急凍開始遅延手段
【図１】
2005156109.tif 000003
【図２】
2005156109.tif 000004
【図３】
2005156109.tif 000005
【図４】
2005156109.tif 000006
【図５】
2005156109.tif 000007
【図６】
2005156109.tif 000008
【図７】
2005156109.tif 000009
【図８】
2005156109.tif 000010